(57)【特許請求の範囲】
【請求項１】
中央部に開口が形成された座表部材及び座裏部材と、該座表部材の縁部と該座裏部材の縁部とが当接されて形成された当接部と、該当接部の一部が後処理されて形成された後処理面と、を備える便座であって、
前記座表部材は、
該便座の表面を構成する座表部と、
前記座表部における前記開口側の縁部から該便座の裏面側に延びる座表側ガード部と、を有し、
前記座裏部材は、
該便座の裏面を構成する座裏部と、
前記座裏部における前記開口側の縁部から該便座の裏面側に延びる座裏側ガード部と、を有し、
前記当接部は、前記座表側ガード部の先端部と前記座裏側ガード部の先端部との当接面に形成され、
前記座表側ガード部と前記座裏側ガード部とは、離隔していることで空間部を形成している、便座。
【請求項２】
前記後処理面は、前記当接部の一部が切削されて形成される請求項１に記載の便座。
【請求項３】
前記当接部は、前記座表部材の縁部と前記座裏部材の縁部とが溶着されて形成される請求項１又は２に記載の便座。
【請求項４】
前記座裏側ガード部は、
前記座裏部を水平に配置した状態で下方に延びる座裏側垂下部と、
前記座裏側垂下部の先端部から略水平に延びる水平部と、を有し、
前記当接部は、前記水平部の上面と、前記座表側ガード部の端面との間に形成される請求項１〜３のいずれかに記載の便座。
【請求項５】
前記座表側ガード部は、前記座裏部を水平に配置した状態で略鉛直方向下方に延び、
前記座裏側垂下部は、前記座裏部とのなす角が鈍角となるように傾斜して延びる請求項４に記載の便座。
【請求項６】
前記座表側ガード部及び前記座裏側ガード部は、前記開口の全周に亘って配置される請求項１〜５のいずれかに記載の便座。
【発明の詳細な説明】
【技術分野】
【０００１】
本発明は、便座に関する。
【背景技術】
【０００２】
従来、便座の座表側を構成する座表部材と便座の座裏側を構成する座裏部材とを当接させてこの当接させた当接面を振動溶着により接合し、その後、接合部分の一部を切削することにより座表部材と座裏部材との接合部分に溝や隙間を生じさせない便座が提案されている（例えば、特許文献１参照）。
また、便座に座った使用者の排尿時に、便器と便座との間から尿が飛散しないように、座裏側に延出する尿ガード部を設けた便座も提案されている（例えば、特許文献２参照）。
【先行技術文献】
【特許文献】
【０００３】
【特許文献１】特開２０１０−９９２７４号公報
【特許文献２】特開２０１１−１２５６４６号公報
【発明の概要】
【発明が解決しようとする課題】
【０００４】
尿ガード部を有する便座では、付着した尿を除去しやすくする観点から、尿ガード部の近傍に溝や隙間が形成されないことが好ましい。そこで、座表部材と座裏部材とを接合し、その後接合部分を切削する技術を用いて尿ガード部を有する便座を形成することで、尿ガード部の近傍に溝や隙間のない便座を実現できる。
【０００５】
ここで、便座の生産性を向上させるためには、座表部材と座裏部材との当接部分を、切削加工等の後処理を容易に行える位置に配置することが求められる。
【０００６】
従って、本発明は、座表部材と座裏部材とが接合されて形成されると共に、尿ガード部を有する便座において、座表部材と座裏部材との当接部分を、切削加工等の後処理を容易に行える位置に配置することで、生産性を向上させられる便座を提供することを目的とする。
【課題を解決するための手段】
【０００７】
本発明は、中央部に開口が形成された座表部材及び座裏部材と、該座表部材の縁部と該座裏部材の縁部とが当接されて形成された当接部と、該当接部の一部が後処理されて形成された後処理面と、を備える便座であって、前記座表部材は、該便座の表面を構成する座表部と、前記座表部における前記開口側の縁部から該便座の裏面側に延びる座表側ガード部と、を有し、前記座裏部材は、該便座の裏面を構成する座裏部と、前記座裏部における前記開口側の縁部から該便座の裏面側に延びる座裏側ガード部と、を有し、前記当接部は、前記座表側ガード部の先端部と前記座裏側ガード部の先端部との当接面に形成される便座に関する。
【０００８】
また、前記後処理面は、前記当接部の一部が切削されて形成されることが好ましい。
【０００９】
また、前記当接部は、前記座表部材の縁部と前記座裏部材の縁部とが溶着されて形成されることが好ましい。
【００１０】
また、前記座裏側ガード部は、前記座裏部を水平に配置した状態で下方に延びる座裏側垂下部と、前記座裏側垂下部の先端部から略水平に延びる水平部と、を有し、前記当接部は、前記水平部の上面と、前記座表側ガード部の端面との間に形成されることが好ましい。
【００１１】
また、前記座表側ガード部は、前記座裏部を水平に配置した状態で略鉛直方向下方に延び、前記座裏側垂下部は、前記座裏部とのなす角が鈍角となるように傾斜して延びることが好ましい。
【００１２】
また、前記座表側ガード部と前記座裏側ガード部との間には、空間部が形成されることが好ましい。
【００１３】
また、前記座表側ガード部及び前記座裏側ガード部は、前記開口の全周に亘って配置されることが好ましい。
【発明の効果】
【００１４】
本発明によれば、座表部材と座裏部材とが接合されて形成されると共に、尿ガード部を有する便座において、生産性に優れた便座を提供できる。
【図面の簡単な説明】
【００１５】
【図１】本発明の一実施形態に係る便座を示す斜視図である。
【図２】本実施形態の便座を示す平面図である。
【図３】図２のＸ−Ｘ線断面図である。
【図４】便座の製造工程を示す図であり、座表部材と座裏部材とが組み合わせられる前の状態を示す図である。
【図５】便座の製造工程を示す図であり、座表部材と座裏部材とが組み合わせられ、溶着された状態を示す図である。
【図６】便座の製造工程を示す図であり、溶着部の一部が切削された状態を示す図である。
【発明を実施するための形態】
【００１６】
以下、本発明の便座の好ましい一実施形態について、図面を参照しながら説明する。本実施形態の便座１は、便座に座った使用者の排尿時に、便器と便座との間から尿が飛散しないように、座裏側に延出する尿ガード部を有する便座である。この便座１は、幼児向けの便座として好適に用いられる。
【００１７】
便座１は、図１及び図２に示すように、平面視において、中央部に開口２０が形成された長円形状に形成される。この便座１は、座表部１１と、座裏部１２と、尿ガード部１３と、連結部１４と、を備える。
【００１８】
座表部１１は、便座１の上面（表面）側を構成する。座裏部１２は、便座１の下面（裏面）側を構成する。尿ガード部１３は、開口２０の全周から座裏部１２側に突出するように配置される。
連結部１４は、平面視における便座１の長手方向の一端側に配置される。本実施形態では、連結部１４は、平面視において便座１の幅方向に貫通する貫通穴により構成される。
【００１９】
以上の便座１は、連結部１４に挿通される軸部材（図示せず）等を介して便器の上部に取り付けられる便座装置（図示せず）に連結される。これにより、便座１は、便器に対して回動可能に取り付けられる。
【００２０】
本実施形態では、便座１は、図３に示すように、座表部材３０と、座裏部材４０と、により構成される。
座表部材３０は、平面視において、中央部に開口２０が形成された長円形状に形成される。座表部材３０は、上述の座表部１１と、座表側ガード部３１と、を有する。
座表部１１は、図３に示すように、後述の座裏部１２を水平に配置した状態において、開口２０側にわずかに下り傾斜となった平面部１１１と、この平面部１１１の外縁から裏面側に湾曲又は屈曲して下方に延びる側面部１１２と、を備える。
座表側ガード部３１は、尿ガード部１３の一部（尿ガード部１３の内面側）を構成する。座表側ガード部３１は、平面部１１１における開口２０側の縁部から便座１の裏面側に延びる。本実施形態では、座表側ガード部３１は、図３に示すように、便座１（座裏部１２）を水平方向に配置した状態で、鉛直方向下方に延びる。また、座表側ガード部３１の先端部は、側面部１１２の先端部よりも下方に位置する。また、座表側ガード部３１は、開口２０の全周に亘って配置される。
【００２１】
座裏部材４０は、平面視において、中央部に開口２０が形成された長円形状に形成される。この座裏部材４０は、上述の座裏部１２と、座裏側ガード部４１と、を備える。
座裏部１２は、平面状に形成される。座裏側ガード部４１は、尿ガード部１３の一部（尿ガード部１３の外面側）を構成する。座裏側ガード部４１は、座裏部１２における開口２０側の縁部から便座１の裏面側に延びる。本実施形態では、座裏側ガード部４１は、開口２０の全周に亘って配置される。
【００２２】
座裏側ガード部４１は、座裏側垂下部４１１と、水平部４１２と、を備える。
座裏側垂下部４１１は、図３に示すように、座裏部１２を水平に配置した状態で下方に延びる。より具体的には、本実施形態では、座裏側垂下部４１１は、座裏部１２における開口２０側の縁部から、座裏部１２とのなす角度が鈍角となるように下り傾斜し、かつ、上方に凸となるように湾曲して延びる。
水平部４１２は、座裏側垂下部４１１の先端部から略水平に延びる。
【００２３】
以上の座表部材３０及び座裏部材４０は、ポリプロピレン等の合成樹脂材料を、金型を用いて射出成形することにより形成される。
本実施形態では、便座１は、座表部材３０の縁部と座裏部材４０の縁部とを当接させて溶着し、その後、座表部材３０と座裏部材４０とが溶着されて形成された当接部としての溶着部５０の一部を切削（後処理）して後処理面としての切削面６０を形成することで構成される。
【００２４】
ここで、本実施形態の便座１の製造方法につき、図４〜図６を参照しながら説明する。
便座１を製造する場合、図４に示すように、まず、座裏部材４０を、座裏部１２が水平方向に沿うように溶着機（図示せず）に配置する。この状態で、水平部４１２の上面は、水平方向に沿っている。
次いで、座裏部材４０の上面側に座表部材３０を配置する。ここで、座表部材３０は、座表側ガード部３１の端面（下端面）が水平部４１２の上面に当接し、側面部１１２の端面（下端面）が座裏部１２の外縁部近傍の上面に当接するように配置される。
【００２５】
次いで、溶着機に配置された座裏部材４０及び座表部材３０に、水平方向に振動が加えられる。これにより、図５に示すように、座裏部材４０と座表部材３０との当接面において、座裏部材４０及び／又は座表部材３０を構成する樹脂が溶融して溶着部５０が形成され、座裏部材４０と座表部材３０とが溶着される。本実施形態では、座表部材３０と座裏部材４０とは、外縁側（側面部１１２の下端面と座裏部１２の上面）及び開口２０側（座表側ガード部３１の下端面と座裏側ガード部４１（水平部４１２）の上面）において溶着されるため、溶着部５０は、便座１の外縁部及び開口２０側の縁部における下端側の角部の近傍に形成される。
【００２６】
次いで、溶着部５０の一部を、座表部材３０及び座裏部材４０と共に切削する。本実施形態では、図６に示すように、便座１の外縁部及び開口２０側の縁部それぞれにおける下端側の角部を落とすように切削加工を行って、外縁側の溶着部５０の一部及び開口２０側の溶着部５０の一部を座表部材３０及び座裏部材４０と共に切削する。これにより、座裏部１２の下面に対して所定角度（例えば、４５度）傾斜した切削面６０が形成される。
【００２７】
以上の工程を経ることで、座表部材３０と座裏部材４０とが溶着されて形成され、座表側ガード部３１及び座裏側ガード部４１により構成される尿ガード部１３を有する便座１が製造される。
以上のように製造された本実施形態の便座１では、図３に示すように、座表部１１と座裏部１２との間、及び座表側ガード部３１と座裏側ガード部４１（座裏側垂下部４１１）との間に、それぞれ空間部Ｓ１，Ｓ２が形成される。
【００２８】
空間部Ｓ１には、座表部材３０と座裏部材４０とを溶着する前に、座表部１１を加温するための発熱体（図示せず）が配置される。また、空間部Ｓ２を形成することで、尿ガード部１３の厚さＴを厚く構成できる。
【００２９】
以上説明した本実施形態の便座１によれば、以下のような効果を奏する。
【００３０】
座表部材３０を、座表部１１と、この座表部１１の開口２０側の縁部から便座１の裏面側に延びる座表側ガード部３１と、を含んで構成し、座裏部材４０を、座裏部１２と、この座裏部１２の開口２０側の縁部から便座１の裏面側に延びる座裏側ガード部４１と、を含んで構成した。そして、当接部５０を、座表側ガード部３１の先端部と座裏側ガード部４１の先端部との当接面に形成した。これにより、尿ガード部１３を有する便座１を、座表部材３０と座裏部材４０とを接合して形成できるとともに、座表部材３０と座裏部材４０との当接部５０を座表側ガード部３１及び座裏側ガード部４１の先端部に形成できる。よって、当接部５０を、座表側ガード部３１及び座裏側ガード部４１の先端部の角を落とすように後処理できるので、当接部５０の切削を容易に行える。即ち、座表部材３０と座裏部材４０との当接部５０を、後処理を容易に行える位置に配置できるので、便座１の生産性を向上させられる。
【００３１】
後処理面６０は、当接部５０の一部を切削した切削面により形成した。これにより、当接部５０の後処理の効率をより向上させられる。
【００３２】
当接部５０を、座表部材３０の縁部と座裏部材４０の縁部とを溶着した溶着部５０により構成した。これにより、溶着部５０を切削することで、座表部材３０と座裏部材４０との接合部分に溝や隙間のない便座１を容易に構成できる。
【００３３】
座裏側ガード部４１を、座裏側垂下部４１１と、この座裏側垂下部４１１の先端部から延びる水平部４１２と、を含んで構成し、溶着部５０を、水平部４１２の上面と座表側ガード部３１の端面との間に形成した。これにより、座裏部１２が水平となるように座裏部材４０を位置させた状態で、座表部材３０と座裏部材４０との当接面を水平方向に沿わせられる。よって、溶着機を用いて座表部材３０と座裏部材４０との当接面に好適に振動を加えられるので、便座１の生産性をより向上させられる。
【００３４】
座裏側垂下部４１１を、座裏部１２とのなす角が鈍角となるように傾斜させた。これにより、尿ガード部１３を有する便座１をより清掃しやすく形成できる。
【００３５】
座表側ガード部３１と座裏側ガード部４１との間に空間部Ｓ２を形成した。これにより、尿ガード部１３の厚さＴを厚く構成できるので、尿ガード部１３の先端形状を緩やかな曲面に形成できる。よって、便座１の開閉時等にトイレの使用者の指等が尿ガード部１３の先端部に接触した場合にも指等を傷付けにくくできる。また、尿ガード部１３の外面側の形状の自由度を高められるので、尿ガード部１３を有する便座１の外観をより向上させられる。
【００３６】
座表側ガード部３１及び座裏側ガード部４１を、開口２０の全周に亘って配置した。これにより、溶着部５０の切削加工をより容易に行える。また、便座１の外観をより向上させられる。
【００３７】
以上、本発明の便座の好ましい一実施形態について説明したが、本発明は、上述した実施形態に制限されるものではなく、適宜変更が可能である。
例えば、本実施形態では、本発明を幼児向けの便座に適用したが、これに限らない。即ち、本発明を大人向けの便座に適用してもよい。
【００３８】
また、本実施形態では、尿ガード部１３を開口２０の全周に亘って配置したが、これに限らない。即ち、尿ガード部を、開口の一部から突出するように配置してもよい。
【００３９】
また、本実施形態では、後処理として、溶着部５０の一部を切削して後処理面としての切削面６０を形成したが、これに限らない。即ち、後処理として、溶着部の一部を研磨して後処理面としての研磨面を形成してもよい。
【００４０】
また、本実施形態では、当接部を、溶着により接合（構成）したが、これに限らない。即ち、当接部を、接着により接合（構成）してもよい。また、座表部材と座裏部材とを、ビス等により当接部以外の部位で接合してもよい。この場合、当接部（座表部材と座裏部材との当接面）には、シリコン等の充填剤を充填してもよい。
【符号の説明】
【００４１】
１  便座
１１  座表部
１２  座裏部
１３  尿ガード部
２０  開口
３０  座表部材
３１  座表側ガード部
４０  座裏部材
４１  座裏側ガード部
５０  溶着部（当接部）
６０  切削面（後処理面）
４１１  座裏側垂下部
４１２  水平部
Ｓ２  空間部
【図１】
0006466126.tif 000002
【図２】
0006466126.tif 000003
【図３】
0006466126.tif 000004
【図４】
0006466126.tif 000005
【図５】
0006466126.tif 000006
【図６】
0006466126.tif 000007